【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
第１の方向、及び、第１の方向とは異なる第２の方向に２次元マトリクス状に画素が配列されて成る透過型表示パネル、及び、
透過型表示パネルに表示される画像を複数の視点用の画像に分離するパララックスバリア、
を備えており、
パララックスバリアと透過型表示パネルとは、所定の間隔を空けて対向して配されており、
パララックスバリアは、第２の方向と平行な軸線、又は、第２の方向と鋭角を成す軸線に沿って延びる光透過部及び遮光部が、複数、交互に、第１の方向に沿って並置されて成り、
第１の方向に沿った光透過部の幅は可変である表示装置。
【請求項２】
パララックスバリアは、
第１基板、
第１基板に形成され、パターニングされた第１電極、
第１基板と対向して配置された第２基板、
第１電極と対向して第２基板に形成された第２電極、及び、
第１基板と第２基板とによって挟まれた液晶層、
から少なくとも構成された液晶表示装置から成る請求項１に記載の表示装置。
【請求項３】
透過型表示パネルを背面から照射する面状照明装置を更に備えており、
パララックスバリアは、透過型表示パネルと面状照明装置との間に配置されている請求項２に記載の表示装置。
【請求項４】
第１の方向に沿った光透過部の幅をＷ1、第１の方向に沿った画素の配列ピッチをＮＤとし、αを任意の係数としたとき、
Ｗ1＝α・ＮＤ
及び、
Ｗ1＝２α・ＮＤ
の２値にＷ1は切り換えられる請求項３に記載の表示装置。
【請求項５】
０．９５≦α≦１．０５を満足する請求項４に記載の表示装置。
【請求項６】
透過型表示パネルのヘーズ値は１５％以下である請求項３乃至請求項５のいずれか１項に記載の表示装置。
【請求項７】
パララックスバリアは、透過型表示パネルの前面に配置されている請求項２に記載の表示装置。
【請求項８】
第１の方向に沿った光透過部の幅をＷ1、第１の方向に沿った画素の配列ピッチをＮＤとし、αを１以上の任意の係数としたとき、
Ｗ1＝α・ＮＤ
及び、
Ｗ1＝（α＋１）・ＮＤ
の２値にＷ1は切り換えられる請求項７に記載の表示装置。
【請求項９】
１＜α＜２を満足する請求項８に記載の表示装置。
【請求項１０】
パララックスバリアのヘーズ値は１５％以下である請求項７乃至請求項９のいずれか１項に記載の表示装置。
【請求項１１】
遮光部を構成する第１電極の第１の方向に沿った幅は、第１の方向に沿った遮光部の幅よりも狭い請求項２乃至請求項１０のいずれか１項に記載の表示装置。
【請求項１２】
光透過部を構成する第１電極の第１の方向に沿った幅は、第１の方向に沿った光透過部の幅よりも狭い請求項１１に記載の表示装置。
【請求項１３】
第１電極及び第２電極への電圧の印加状態によって、第１の方向に沿った光透過部の幅が切り換えられる請求項２乃至請求項１２のいずれか１項に記載の表示装置。
【請求項１４】
遮光部を構成する液晶表示装置の領域には、第１電極が形成されており、
光透過部は、第１電極が形成されている領域と第１電極が形成されていない領域とが、第１の方向に沿って並置されて成り、
光透過部を構成する第１電極の第１の方向に沿った幅は、第１の方向に沿った光透過部の幅よりも狭い請求項２乃至請求項１０のいずれか１項に記載の表示装置。
【請求項１５】
第１電極及び第２電極への電圧の印加状態によって、第１の方向に沿った光透過部の幅が切り換えられる請求項１４に記載の表示装置。
【請求項１６】
パララックスバリアの軸線と第２の方向との成す角度θは鋭角であり、第２の方向に沿った画素の配列ピッチをＮＤ2としたとき、
θ＝ｔａｎ-1（ＮＤ2／ＮＤ）
を満足する請求項１乃至請求項１５のいずれか１項に記載の表示装置。
【請求項１７】
パララックスバリアの軸線と第２の方向との成す角度θは鋭角であり、
パララックスバリアを構成する光透過部は、パララックスバリアの軸線に沿って直線状に配列されている請求項１乃至請求項１６のいずれか１項に記載の表示装置。
【請求項１８】
パララックスバリアの軸線と第２の方向との成す角度θは鋭角であり、
パララックスバリアを構成する光透過部は、パララックスバリアの軸線に沿って階段状に配列されている請求項１乃至請求項１６のいずれか１項に記載の表示装置。
【手続補正２】
【補正対象書類名】明細書
【補正対象項目名】００５２
【補正方法】変更
【補正の内容】
【００５２】
そして、式（２’）を満たせば、画素１２m-1，１２m，１２m+1を透過する光透過部１３１p+1からの光も、それぞれ、観察領域ＷＡLの視点Ｄ１，Ｄ２，Ｄ３に向かうことは、幾何学的に明らかである。
【手続補正３】
【補正対象書類名】明細書
【補正対象項目名】００８７
【補正方法】変更
【補正の内容】
【００８７】
実施例２は、実施例１の変形である。実施例２にあっては、パララックスバリア２３０を構成する液晶表示装置２４０の模式的な一部端面図を図１０及び図１１の（Ａ）、（Ｂ）に示すように、遮光部２３２を構成する液晶表示装置の領域２４０Ｂには、第１電極２４２Ａが形成されている。そして、光透過部２３１は、第１電極２４２Ｂが形成されている領域２３１Ｂと第１電極が形成されていない領域２３１Ａとが、第１の方向に沿って並置されて成る。尚、第１の方向に沿った光透過部２３１の幅Ｗ1を、第１の方向に沿った画素の配列ピッチＮＤの概ね１倍とする場合（第１ケース）、光透過部２３１は、第１電極が形成されていない領域２３１Ａから構成され、遮光部２３２は、第１電極２４２Ａ及び第１電極２４２Ｂから構成される。一方、第１の方向に沿った光透過部２３１の幅Ｗ1を、第１の方向に沿った画素の配列ピッチＮＤの概ね２倍とする場合（第２ケース）、光透過部２３１は、第１電極２４２Ｂが形成されている領域２３１Ｂと第１電極が形成されていない領域２３１Ａとから構成され、遮光部２３２は、第１電極２４２Ａから構成される。ここで、光透過部２３１を構成する第１電極２４２Ｂの第１の方向に沿った幅ＷＤ11は、第１の方向に沿った光透過部２３１の幅Ｗ1よりも狭い。具体的には、第１ケースの場合、
Ｗ1−ＷＤ11＝１０μｍ
とした（図１１の（Ａ）参照）。また、第２ケースの場合も、
Ｗ1−ＷＤ11＝１０μｍ
とした（図１１の（Ｂ）参照）。第１電極２４２Ａと第１電極２４２Ｂとの間のギャップ幅Ｗgap-2は、実施例１と同様とした。パララックスバリア２３０を構成する液晶表示装置２４０における液晶層２４５は、第１電極２４２及び第２電極２４４へ電圧を印加していないとき、光を透過する状態（ノーマリーホワイト）である。そして、実施例２にあっても、第１電極２４２及び第２電極２４４への電圧の印加状態によって、第１の方向に沿った光透過部２３１の幅Ｗ1が、
Ｗ1＝１．０×ＮＤ
及び、
Ｗ1＝２．０×ＮＤ
のいずれかとなるように切り換えられる（図１１の（Ａ）及び（Ｂ）参照）。このような幅Ｗ1の切替えによって、透過型表示パネル１０に表示される画像の輝度の増加を図ることができる。尚、図１０に示した液晶表示装置２４０の状態にあっては、２次元画像の表示を行うことができる。
【手続補正４】
【補正対象書類名】明細書
【補正対象項目名】００９９
【補正方法】変更
【補正の内容】
【００９９】
次に、画素１２m-1，１２m，１２m+1，１２m+2からの光のそれぞれが、光透過部４３１p+1を透過し、右側の観察領域ＷＡRの視点Ａ1，Ａ2，Ａ3，Ａ4に向かう条件について考察する。
【手続補正５】
【補正対象書類名】明細書
【補正対象項目名】０１００
【補正方法】変更
【補正の内容】
【０１００】
光透過部４３１p+1の中心を通りＺ方向に延びる仮想直線を基準として、右側の観察領域ＷＡRの視点Ａ1までの距離をＸ3で表す。画素１２m+3からの光が光透過部４３１p+1を透過して観察領域ＷＡRの視点Ａ1に向かうためには、幾何学的な相似関係から、以下の式（６）に示す条件を満たす。
【手続補正６】
【補正対象書類名】明細書
【補正対象項目名】０１０４
【補正方法】変更
【補正の内容】
【０１０４】
そして、式（６’）を満たせば、画素１２m+2，１２m+1，１２mを透過する光透過部４３１p+1からの光も、それぞれ、観察領域ＷＡRの視点Ａ2，Ａ3，Ａ4に向かうことは、幾何学的に明らかである。
【手続補正７】
【補正対象書類名】明細書
【補正対象項目名】０１１３
【補正方法】変更
【補正の内容】
【０１１３】
実施例４の表示装置にあっても、立体画像の表示及び２次元画像の表示を行うことができるし、あるいは又、別々の角度から表示装置を眺めたときに異なる画像の表示を行うこともできる。そして、実施例４の表示装置にあっても、第１の方向に沿った光透過部の幅は可変であるが故に、表示装置に表示される画像に対して高画質が要求される場合には光透過部の幅を狭くし［Ｗ1＝α・ＮＤ］、高輝度が要求される場合には光透過部の幅を広くすればよく［Ｗ1＝（α＋１）・ＮＤ］、表示装置に表示される画像に対して高画質が要求される場合と高輝度が要求される場合の両方に適切に対処、対応することが可能となる。
【手続補正８】
【補正対象書類名】明細書
【補正対象項目名】０１１４
【補正方法】変更
【補正の内容】
【０１１４】
実施例５は、実施例４の変形である。実施例５にあっては、パララックスバリア５３０を構成する液晶表示装置５４０の模式的な一部端面図を図１８及び図１９の（Ａ）、（Ｂ）に示すように、遮光部５３２を構成する液晶表示装置の領域５４０Ｂには、第１電極５４２Ａが形成されている。そして、光透過部５３１は、第１電極５４２Ｂが形成されている領域５３１Ｂと第１電極が形成されていない領域５３１Ａとが、第１の方向に沿って並置されて成る。尚、第１の方向に沿った光透過部５３１の幅Ｗ1を［α・ＮＤ］とする場合（第１ケース）、光透過部５３１は、第１電極が形成されていない領域５３１Ａから構成され、遮光部５３２は、第１電極５４２Ａ及び第１電極５４２Ｂから構成される。一方、第１の方向に沿った光透過部５３１の幅Ｗ1を［（α＋１）・ＮＤ］とする場合（第２ケース）、光透過部５３１は、第１電極５４２Ｂが形成されている領域５３１Ｂと第１電極が形成されていない領域５３１Ａとから構成され、遮光部５３２は、第１電極５４２Ａから構成される。ここで、光透過部５３１を構成する第１電極５４２Ｂの第１の方向に沿った幅ＷＤ11は、第１の方向に沿った光透過部５３１の幅Ｗ1よりも狭い。具体的には、第１ケースの場合、
Ｗ1−ＷＤ11＝１０μｍ
とした（図１９の（Ａ）参照）。また、第２ケースの場合、
Ｗ1−ＷＤ11＝１０μｍ
とした（図１９の（Ｂ）参照）。第１電極５４２Ａと第１電極５４２Ｂとの間のギャップ幅Ｗgap-2は、実施例４と同様とした。パララックスバリア５３０を構成する液晶表示装置５４０における液晶層５４５は、第１電極５４２及び第２電極５４４へ電圧を印加していないとき、光を透過する状態（ノーマリーホワイト）である。そして、実施例５にあっても、第１電極５４２及び第２電極５４４への電圧の印加状態によって、第１の方向に沿った光透過部５３１の幅Ｗ1が、
Ｗ1＝α・ＮＤ
及び、
Ｗ1＝（α＋１）・ＮＤ
のいずれかとなるように切り換えられる（図１９の（Ａ）及び（Ｂ）参照）。このような幅Ｗ1の切替えによって、透過型表示パネル１０に表示される画像の輝度の増加を図ることができる。尚、図１８に示した液晶表示装置５４０の状態にあっては、２次元画像の表示を行うことができる。
【手続補正９】
【補正対象書類名】図面
【補正対象項目名】図１
【補正方法】変更
【補正の内容】
【図１】
2013140277.tif 000001
【手続補正１０】
【補正対象書類名】図面
【補正対象項目名】図１２
【補正方法】変更
【補正の内容】
【図１２】
2013140277.tif 000002
【手続補正１１】
【補正対象書類名】図面
【補正対象項目名】図１４
【補正方法】変更
【補正の内容】
【図１４】
2013140277.tif 000003